(57)【要約】【課題】釘打機の単発／連続打撃切替え装置を提供する。【解決手段】本発明は、釘打機の単発／連続打撃切替え装置に関するものであり、安全装置軸を先に押してから引き金を引く、もしくは引き金を引いてから安全装置軸を押すという動作手順の違いによって動作制御部の引っ掛け部と引き金の動作板の間の相対位置が変わり、単発打撃または連続打撃の切り替えを行うことができ、操作性と便利性を向上させる。さらに動作制御部を釘打機本体に装着するという簡易式構成部品及び設計を取り入れることで、高い生産効率と簡単な組立てを実現することができる。【選択図】図1
2007326187.tif 000002
【特許請求の範囲】
【請求項１】
引き金の開閉バルブ軸と面する側に動作板が取り付けられ、当該動作板に動作部が設けられる釘打機の単発／連続打撃切替え装置であって、
前記引き金の接続端と前記開閉バルブ軸との間に位置する組み立て部に装着され、前記動作板と向かい合った側に引っ掛け部が設けられる動作制御部を含み、
前記動作制御部の前記引っ掛け部は、前記釘打機の安全装置の端部が前記動作板を押してから引き金を引いて打撃した後に、当該安全装置の端部が解放されると、前記動作板の前記動作部の移動範囲を制限し、
前記動作制御部の前記引っ掛け部は、前記引き金を引いてから前記安全装置の端部を利用して前記動作板を押し込むと、前記動作板の前記動作部の移動範囲を制限しない、
釘打機の単発／連続打撃切替え装置。
【請求項２】
前記組み立て部は、溝状である、
請求項１に記載の釘打機の単発／連続打撃切替え装置。
【請求項３】
前記動作制御部の移動方向は、前記安全装置の圧し込み方向と同じ方向である、
請求項１に記載の釘打機の単発／連続打撃切替え装置。
【請求項４】
弾性復元部が更に含まれ、前記動作制御部は、当該弾性復元部によって支えられる、
請求項１または３に記載の釘打機の単発／連続打撃切替え装置。
【請求項５】
前記動作制御部は、所定のスウィングルートに沿って移動できるように前記釘打機本体に装着される、
請求項１に記載の釘打機の単発／連続打撃切替え装置。
【請求項６】
前記動作制御部の前記引っ掛け部の片側には、斜面が設けられる、
請求項３に記載の釘打機の単発／連続打撃切替え装置。
【請求項７】
引き金の開閉バルブ軸と面する側に動作板が取り付けられ、当該動作板に動作部が設けられる釘打機の単発／連続打撃切替え装置であって、
縦方向に移動できるように前記釘打機本体に取り付けられ、前記動作板の前記動作部との対称位置に設置され、片方が装着部となる動作制御部と、
前記釘打機本体に装着され、前記動作制御部の前記装着部と互いに対応し、前記動作制御部を支える弾性復元部と、
を含み、
前記動作制御部の他の片方には引っ掛け部が設けられ、当該引っ掛け部は前記引き金を引いた時の前記動作板の前記動作部のスウィングルートに位置し、前記動作部を制限する、
釘打機の単発／連続打撃切替え装置。
【請求項８】
前記釘打機本体には、溝状の組立て部が設置され、前記動作制御部の前記装着部は、当該組立て部に装着され、前記弾性復元部は、前記動作制御部の前記装着部と当該組立て部との間に取り付けられる、
請求項７に記載の釘打機の単発／連続打撃切替え装置。
【請求項９】
前記動作制御部の移動方向は、前記安全装置の圧し込み方向と同じ方向である、
請求項７に記載の釘打機の単発／連続打撃切替え装置。
【請求項１０】
引き金の開閉バルブ軸と面する側に動作板が取り付けられ、当該動作板に動作部が設けられる釘打機の単発／連続打撃切替え装置であって、
所定のスウィングルートに沿って移動できるように釘打機本体に装着され、前記動作板の前記動作部との対称位置に設置されるスウィング式動作制御部を含み、
前記動作制御部の片方には引っ掛け部が設けられ、当該引っ掛け部は前記引き金を引いた時の前記動作板の前記動作部のスウィングルートに位置し、前記動作部を制限し、
前記動作制御部の他の片方は装着部になり、前記釘打機本体の所定部位と組み合わせられる、
釘打機の単発／連続打撃切替え装置。
【請求項１１】
前記動作制御部の前記引っ掛け部の片方には、斜面が設けられる、
請求項１０に記載の釘打機の単発／連続打撃切替え装置。
【発明の詳細な説明】
【技術分野】
【０００１】
本発明は、釘打機に関し、特に釘打機の単発／連続打撃切替え装置に関する。
【背景技術】
【０００２】
使用者の需要に合わせて、現在の新型の釘打機のほとんどは引き金構造に単発打撃及び連続打撃形式の切替え機構を採用している。引き金を１回だけ引くと単発打撃を行い、若しくは、引き金を１回引いた後、安全装置軸がワークに接触するまたはそれを放す簡単な動作によって連続打撃といった異なる形態の打撃を行うことができる。
上述の単発／連続打撃に関する引き金切替え構造の従来形態では、引き金構造若しくは引き金の関連パーツ（例えば安全装置軸の端部、引き金内板等）に調整切替え装置を取り付け、打撃形式を変更する時にその調整切替え装置を利用して切替え動作（切替え、回転操作等）を行うものが一般的である。但し、このような従来構造は切替え機構の操作性、連動性及び装着位置等、様々な要素を同時に考慮しなければならないため、最終的には部品を多く要する複雑な構造となってしまい、無駄なスペースを使うだけでなく、使用上も大変不便である。
よって、上述の引き金打撃形式切替え構造の問題点を改善し、より理想的で実用性を伴った新型構造を開発することは消費者が待望することであり、関連業者の目指すところでもある。
【発明の開示】
【発明が解決しようとする課題】
【０００３】
本発明の目的は、釘打機の単発／連続打撃切替え装置を提供することにある。
【課題を解決するための手段】
【０００４】
前述の目的を達成するために、本発明は、釘打機の引き金の開閉バルブ軸に面する側には一枚の動作板が取り付けられ、その動作板の回転軸は引き金の引込み部に配置されるため、動作板の動作部は引き金の固定部の設置方向を向く形となり、動作板の動作部は釘打機安全装置の端部に押されると開閉バルブ軸の設置方向にスウィングする打撃切替え装置を提供する。また、この打撃切替え装置は釘打機の本体に装着される。この打撃切替え装置は、動作制御部を含み、この動作制御部は縦方向に移動できる状態で釘打機の本体に取り付けられ、動作板の動作部との対称位置に設置される。その動作制御部の動作板の動作部の片側には引っ掛け部が設けられ、その引っ掛け部は引き金を引いた時の動作板の動作部のスウィングルートに位置する。これにより動作部を阻止することができる。動作制御部の他の片側は装着部になり、釘打機本体の所定部位と組み合わせることができる。この打撃切替え装置は、更に、動作制御部を支える弾性復元部を含み、この弾性復元部によって動作制御部は内縮し、自動的に復元する特性を有するようになる。このような斬新的な特殊設計により、本発明は従来の技術に比べ、釘打機引き金構造は単発打撃及び連続打撃の切替え操作において、切替え部品を介さなくても、安全装置軸を先に押してから引き金を引く、もしくは引き金を引いてから安全装置軸を押すというふうに動作順番を変えることで単発打撃または連続打撃の切り替えを行うことができ、操作性と便利性を向上させた実用的で進歩性を有したものとなる。さらに釘打機本体に装着された動作制御部及び弾性復元部はシンプルな構造設計となるため、高い生産効率及び簡単な組立てを実現し、産業での利用に適するものといえる。
【０００５】
また、動作制御部の構造をスウィング式の動作制御部として簡略化することで、よりシンプルな構成を実現し、製造効率及び組立て効率に優れた産業での利用に適するものを提供することも可能である。
【発明の効果】
【０００６】
本発明は、釘打機の単発／連続打撃切替え装置を提供する。
【発明を実施するための最良の形態】
【０００７】
次に、添付した図面を参照しながら、本発明の好適な実施例を詳細に説明する。
【０００８】
図１から図６は、本発明における釘打機の単発／連続打撃切替え装置の好適な実施例を示すものである。本実施例における釘打機の引き金１０の開閉バルブ軸２０と面する側には一枚の動作板３０が取り付けられ、その動作板の回転軸３１は引き金１０の引込み部１１に配置されるため、動作板３０の動作部３２は引き金１０の固定部１２の設置方向を向く形となり、動作板３０の動作部３２は釘打機安全装置４０の端部４１に押されると開閉バルブ軸２０の設置方向にスウィングする。
【０００９】
また、打撃切替え装置Ａは、釘打機の本体５０に装着されており、一つの動作制御部６０と一つの弾性復元パーツ７０とを含む。
【００１０】
動作制御パーツ６０は、縦方向に移動できる状態で釘打機の本体５０に取り付けられ、動作板３０の動作部３２との対称位置に設置される。本実施例における動作制御部６０の移動方向は釘打機安全装置４０の押し込み方向と同じで、その動作制御部６０の動作板３０の動作部３２と向かい合った片側には引っ掛け部６１が設けられ、その引っ掛け部６１は引き金１０を引いた時の動作板３０の動作部３２のスウィングルートに位置する。これにより動作部３２を阻止することができる。動作制御部６０のもう一方は装着部６２になり、釘打機本体５０の所定部位と組み合わせることができる。本実施例では釘打機の本体５０に一つの組立て部５１を設置して動作制御部６０の装着部６２を装着できるようにする。その組立て部５１は溝状の空間形式を取ることが可能である。
【００１１】
弾性復元部７０は、本実施例ではスプリングを採用する。弾性復元部７０は前述の釘打機の本体５０の組立て部５１に装着することができ、動作制御部６０はそのサポートによって、内縮また自動的に復元できる。
【００１２】
上述の構造及び設計に基づいた本実施例の動作を下記にて説明する。
【００１３】
図１は、引き金１０がまだ引き込まれておらず、かつ釘打機安全装置４０の端部４１が動作板３０を押し込んでいない休止状態を示すものである。
【００１４】
図２は、釘打機安全装置４０の端部４１が動作板３０に向かって停止位置まで移動し、引き金１０がまだ引かれていない状態を表すものである。この動作の過程において、動作板３０の動作部３２は図中で表示されたＬ１のルートに従ってスウィングし、動作制御部６０の引っ掛け部６１を乗り越えることができる。この時、動作板３０の内側は開閉バルブ軸２０に接触する。
【００１５】
図３が示すように、引き金１０が引かれた時、動作板３０の動作部３２は釘打機安全装置４０の端部４１によって固定されているため、引き金１０を引くと動作板３０の回転軸３１を有する側にスウィング動作を起して開閉バルブ軸２０に接触する。これにより打撃動作が行われる。
【００１６】
図４が示すように、釘打機安全装置４０が弾いて復元した時、動作板３０の動作部３２は支えられることなく元の位置に向かってスウィングする。しかし、この時は引き金１０が引き込まれた状態になっているため、動作板３０の動作部３２は動作制御部６０の方向にずれる。したがって、動作板３０の動作部３２が原点に向かってスウィングしようとすると動作制御パーツ６０の引っ掛け部６１によって阻止され、開閉バルブ軸２０の位置もその制御を受ける。続いて、引き金１０が解放されると、動作板３０の動作部３２はそれにつれて外側に移動し、引っ掛け部６１から離脱して原点に戻り、引き金１０、動作板３０、釘打機安全装置４０は全て図１の状態に回復する。単発打撃の操作モードはこの仕組みによって実現される。
【００１７】
図５が示す操作形態では、引き金１０を引いてから釘打機安全装置４０を押し込むと、動作板３０の動作部３２は先行して動作制御部６０側にずれるため、動作部３２は引っ掛け部６１を乗越えることができず、釘打機安全装置４０の端部４１が動作板３０の動作部３２を押した時、動作部は動作制御パーツ６０を動かして、釘打機本体５０の組立て部５１が内側に引っ込むと同時に、弾性復元パーツ７０を押し込んで彈性復元力を蓄積する。この時、動作板３０の動作部３２がスウィングして開閉バルブ軸２０を圧迫するため、打撃動作が生じる。この操作形態は動作制御パーツ６０、動作板３０の動作部３２及び安全装置４０が同時に上下に移動するため、使用者が引き金１０を引いたままの状態では、釘打機安全装置４０は圧迫／解放操作を繰り返すことで間歇的な開閉バルブ軸２０の圧し込み動作が生じ（図６を参照）、連続打撃操作が行われる。
【００１８】
図７から図１４は、本発明における釘打機の単発／連続打撃切替え装置の他の好適な実施例を示すものである。本実施例は、一つのスウィング式動作制御部６０Ｂを含み、それは所定のスウィングルートに沿って移動できるように釘打機の本体５０に装着され、動作板３０の動作部３２との対称位置に設置される。その動作制御部６０Ｂの動作板３０の動作部３２の片側には、一つの引っ掛け部６１Ｂが設けられ、その引っ掛け部は、引き金１０を引いた時の動作板の動作部３２のスウィングルートに位置する。これにより動作部３２を阻止することができる。また、その動作制御部６０Ｂのもう片方は装着部６２Ｂになり、一つの軸６３を利用して釘打機本体５０の所定部位と組み合わせることができる。この構造において、動作制御パーツ６０Ｂの引っ掛け部６１Ｂの片方に一つの斜面６４を設置することで、動作板３０の動作部３２の動きがよりスムーズに行われるようになる（図１２を参照）。
【００１９】
上述の構造に基づいた本実施例における使用状況及び動作を下記にて説明する。
【００２０】
図７は、引き金１０がまだ引き込まれておらず、かつ釘打機安全装置４０の端部４１が動作板３０を押し込んでいない休止状態を示しているものである。
【００２１】
図８は、安全装置４０の端部４１が動作板３０に向かって停止位置まで移動し、引き金１０がまだ引かれていない状態を表しているものである。この動作の過程において、動作板３０の動作部３２は図中で表示されたＬ２のルートに従ってスウィングし、動作制御パーツ６０Ｂの引っ掛け部６１Ｂを乗り越えることができる。この時、動作板３０の内側は開閉バルブ軸２０に接触する。
【００２２】
図９が示すように、引き金１０が引かれた時、動作板３０の動作部３２は釘打機安全装置４０の端部４１によって固定されているため、引き金１０を引くと動作板３０の回転軸３１を有する側にスウィング動作を起して開閉バルブ軸２０に接触する。これにより打撃動作が行われる。
【００２３】
図１０が示すように、釘打機安全装置４０が弾いて復元した時、動作板３０の動作部３２は支えられることなく元の位置に向かってスウィングする。しかし、この時は引き金１０が引き込まれた状態になっているため、動作板３０の動作部３２は動作制御パーツ６０Ｂの方向にずれる。したがって、動作板３０の動作部３２が原点に向かってスウィングしようとすると動作制御パーツ６０の引っ掛け部６１Ｂによって阻止され、開閉バルブ軸２０の位置もその制御を受ける。続いて、引き金１０が解放されると、動作板３０の動作部３２はそれにつられて外側に移動し、引っ掛け部６１から離脱して原点に戻り、引き金１０、動作板３０、釘打機安全装置４０は全て図１の状態に回復する。単発打撃の操作モードはこの仕組みによって実現される。
【００２４】
図１１が示す操作形態では、引き金１０を引いてから釘打機安全装置４０を押し込むと、動作板３０の動作部３２は先行して動作制御パーツ６０Ｂ側にずれるため、動作部３２は引っ掛け部６１Ｂを乗越えることができず、釘打機安全装置４０の端部４１が動作板３０の動作部３２を押した時、動作部は動作制御パーツ６０Ｂを押して上に向かって退くようにスウィングする。この時、動作板３０の動作部３２がスウィングして開閉バルブ軸２０を圧迫するため、打撃動作が生じる。この操作形態は動作制御パーツ６０、動作板３０の動作部３２及び安全装置４０が同時に上下に移動するため、使用者が引き金１０を引いたままの状態では、釘打機安全装置４０は圧迫／解放操作を繰り返すことで間歇的な開閉バルブ軸２０圧し込み動作（図１２、図１３、図１４の順にその変化を参照する）が生じ、連続打撃が行われる。
【００２５】
ゆえに、本発明における釘打機の単発／連続打撃切替え装置は、少なくとも以下の利点を有する。
【００２６】
１．単発打撃及び連続打撃の切替え操作において、切替え部品を介さなくても、釘打機安全装置４０を押してから引き金１０を引く、もしくは引き金１０を先に引いてから釘打機安全装置４０を押すというように動作順番を変えることで単発打撃または連続打撃の切り替えを行うことができ、操作性と便利性を向上させる。
【００２７】
２．釘打機本体５０に装着された動作制御パーツ６０及び弾性復元パーツ７０、或いは、スウィング式動作制御パーツ６０Ｂ等の簡易式構成部品及び設計を取り入れることで、従来構造の欠点を改善し、高い生産効率及び簡単な組立てを実現することができる。
【００２８】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００２９】
【図１】本発明の好適な実施例における休止状態を示すイメージ図である。
【図２】本発明の好適な実施例における単発打撃形式の操作フローを示す図である。
【図３】本発明の好適な実施例における単発打撃形式の操作フローを示す他の図である。
【図４】本発明の好適な実施例における単発打撃形式の操作フローを示す他の図である。
【図５】本発明の好適な実施例における連続打撃形式の操作フローを示す図である。
【図６】本発明の好適な実施例における連続打撃形式の操作フローを示す他の図である。
【図７】本発明の他の好適な実施例における休止状態を示すイメージ図である。
【図８】本発明の他の好適な実施例における単発打撃形式の操作フローを示す図である。
【図９】本発明の他の好適な実施例における単発打撃形式の操作フローを示す他の図である。
【図１０】本発明の他の好適案実施例における単発打撃形式の操作フローを示す他の図である。
【図１１】本発明の他の好適な実施例における連続打撃形式の操作フローを示す図である。
【図１２】本発明の他の好適な実施例における連続打撃形式の操作フローを示す図である。
【図１３】本発明の他の好適な実施例における連続打撃形式の操作フローを示す図である。
【図１４】本発明の他の好適な実施例における連続打撃形式の操作フローを示す図である。
【符号の説明】
【００３０】
１０            引き金
１１            引込み部  
２              固定部
２０            開閉バルブ軸
３０            動作板
３１            回転軸
３２            動作部
４０            釘打機安全装置
４１            端部
Ａ、Ａ２        打撃切替え装置
５０            釘打機本体
５１            組立て部
６０、６０Ｂ    動作制御部
６１、６１Ｂ    引っ掛け部
６２            装着部
６３            軸
６４            斜面
７０            弾性復元部
【図１】
2007326187.tif 000003
【図２】
2007326187.tif 000004
【図３】
2007326187.tif 000005
【図４】
2007326187.tif 000006
【図５】
2007326187.tif 000007
【図６】
2007326187.tif 000008
【図７】
2007326187.tif 000009
【図８】
2007326187.tif 000010
【図９】
2007326187.tif 000011
【図１０】
2007326187.tif 000012
【図１１】
2007326187.tif 000013
【図１２】
2007326187.tif 000014
【図１３】
2007326187.tif 000015
【図１４】
2007326187.tif 000016